(57)【要約】【課題】効率的に充電できる歯科補綴装置を提供する。【解決手段】歯科補綴装置は、歯科補綴用の構造体と、前記構造体に内蔵され、前記構造体の装着者の生体情報を取得する生体センサと、前記構造体に内蔵され、前記生体センサで検出される生体情報を格納するメモリと、前記メモリに格納される生体情報を前記構造体の外部に送信する通信部と、前記生体センサ、前記メモリ、及び前記通信部に電力を供給する電源と、磁界共鳴によって受電する電力、又は、前記構造体が振動されることにより発電する電力で前記電源を充電する、充電部とを含む。【選択図】図３
2014131426.tif 000002
【特許請求の範囲】
【請求項１】
歯科補綴用の構造体と、
前記構造体に内蔵され、前記構造体の装着者の生体情報を取得する生体センサと、
前記構造体に内蔵され、前記生体センサで検出される生体情報を格納するメモリと、
前記メモリに格納される生体情報を前記構造体の外部に送信する通信部と、
前記生体センサ、前記メモリ、及び前記通信部に電力を供給する電源と、
磁界共鳴によって受電する電力、又は、前記構造体が振動されることにより発電する電力で前記電源を充電する、充電部と
を含む、歯科補綴装置。
【請求項２】
前記充電部は、磁界共鳴によって受電する電力で前記電源を充電する充電部であり、前記構造体の外部に配設される１次側共振コイルから磁界共鳴によって受電する２次側共振コイルを有する、請求項１記載の歯科補綴装置。
【請求項３】
前記充電部は、前記構造体が振動されることにより発電する電力で前記電源を充電する充電部であり、前記構造体が振動されることにより発電する発電素子を有する、請求項１記載の歯科補綴装置。
【請求項４】
前記発電素子は、ＰＺＴ圧電発電素子、又は、磁歪素子である、請求項３記載の歯科補綴装置。
【請求項５】
請求項２記載の歯科補綴装置と、
請求項２記載の１次側共振コイルを有し、請求項２記載の歯科補綴装置の２次側共振コイルに磁界共鳴によって電力を送電する送電器と
を含む、生体情報取得装置。
【請求項６】
前記歯科補綴装置を洗浄する洗浄機と、
前記洗浄機に配設され、前記通信部から送信される生体情報を受信する受信部と
をさらに含み、
前記送電器は前記洗浄機に配設される、請求項５記載の生体情報取得装置。
【請求項７】
請求項３記載の歯科補綴装置と、
請求項３記載の歯科補綴装置を振動によって洗浄する洗浄機と、
前記洗浄機に配設され、前記通信部から送信される生体情報を受信する受信部と
含む、生体情報取得装置。
【請求項８】
請求項５乃至７のいずれか一項記載の生体情報取得装置と、
請求項５乃至７のいずれか一項記載の生体情報取得装置から転送される生体情報を集約する集約センターに配設され、集約した生体情報を保管するデータセンターと
を含む、生体情報取得システム。
【発明の詳細な説明】
【技術分野】
【０００１】
本発明は、歯科補綴装置、生体情報取得装置、生体情報取得システムに関する。
【背景技術】
【０００２】
従来より、歯科的な術式の過程に沿って生体に設置される歯科用築造体であって、この歯科用築造体の内部に生体情報の計測を行う機能と計測結果及びこの計測結果に付随する各種情報を記憶する記録機能と記憶した内容を外部に伝送する通信機能とを有する歯科用築造体がある（例えば、特許文献１参照）。
【先行技術文献】
【特許文献】
【０００３】
【特許文献１】特開２００３−０７０７５２号公報
【発明の概要】
【発明が解決しようとする課題】
【０００４】
ところで、従来の歯科用築造体（歯科補綴装置）は、歯科補綴装置に電磁誘導によって電力を供給するため、送電側である１次側のコイルと、受電側である２次側のコイルとをある程度正確に位置合わせする必要がある。
【０００５】
この位置合わせとしては、２つのコイルの位置を平面的に合わせることに加えて、２つのコイルを近接させることが必要である。２つのコイルを近接させる必要があるのは、電磁誘導で電力を伝送できる距離が短いからである。
【０００６】
このように、従来の歯科補綴装置では、電磁誘導で電力を伝送するため、効率的に充電できないという課題がある。
【０００７】
そこで、効率的に充電できる歯科補綴装置、及び、歯科補綴装置を用いた生体情報取得装置及び生体情報取得システムを提供することを目的とする。
【課題を解決するための手段】
【０００８】
本発明の実施の形態の歯科補綴装置は、歯科補綴用の構造体と、前記構造体に内蔵され、前記構造体の装着者の生体情報を取得する生体センサと、前記構造体に内蔵され、前記生体センサで検出される生体情報を格納するメモリと、前記メモリに格納される生体情報を前記構造体の外部に送信する通信部と、前記生体センサ、前記メモリ、及び前記通信部に電力を供給する電源と、磁界共鳴によって受電する電力、又は、前記構造体が振動されることにより発電する電力で前記電源を充電する、充電部とを含む。
【発明の効果】
【０００９】
効率的に充電できる歯科補綴装置、及び、歯科補綴装置を用いた生体情報取得装置及び生体情報取得システムを提供することができる。
【図面の簡単な説明】
【００１０】
【図１】磁界共鳴を利用した充電システム５０の構成を示す図である。
【図２】図１に示す充電システム５０の等価回路を示す図である。
【図３】実施の形態１の歯科補綴装置１００、洗浄機３００、及び生体情報取得装置５００を示す図である。
【図４】歯科補綴装置１００を洗浄機３００で洗浄する状態を示す図である。
【図５】歯科補綴装置１００の充電と、生体データを歯科補綴装置１００からデータセンターに送信する際のデータの流れを示す図である。
【図６】歯科補綴装置１００からデータセンター７００までの生体データの伝送ルートを示す図である。
【図７】歯科補綴装置１００の制御部１２０及び洗浄機３００の制御部３２０で実行する処理を示すフローチャートである。
【図８】実施の形態１の生体情報取得装置５００で取得され、データセンター７００で収集された生体データを利用した体調管理サービスを説明する図である。
【図９】実施の形態１の変形例を示す図である。
【図１０】実施の形態２の歯科補綴装置２００を示す図である。
【図１１】歯科補綴装置２００を洗浄機４００で洗浄する状態を示す図である。
【図１２】歯科補綴装置２００の充電と、生体データを歯科補綴装置２００からデータセンターに送信する際のデータの流れを示す図である。
【図１３】実施の形態２の変形例による生体情報取得装置５２０Ａ及び生体情報取得システム８２０Ａにおける生体データの流れを示す図である。
【図１４】実施の形態３の歯科補綴装置２００Ｃを示す図である。
【発明を実施するための形態】
【００１１】
以下、本発明の歯科補綴装置、生体情報取得装置、生体情報取得システムを適用した実施の形態について説明する。
【００１２】
＜実施の形態１＞
図１は、磁界共鳴を利用した充電システム５０の構成を示す図であり、図２は、図１に示す充電システム５０の等価回路を示す図である。
【００１３】
図１に示すように、充電システム５０は、１次側コイル１、１次側共振コイル２、２次側共振コイル３、２次側コイル４、整合回路５、交流電源６、整流回路７、及びＤＣ−ＤＣコンバータ８を含む。充電システム５０には、バッテリ９が接続される。
【００１４】
１次側コイル１、１次側共振コイル２、整合回路５、及び交流電源６は、電力を送電する送電器１０に含まれる。
【００１５】
２次側共振コイル３、２次側コイル４、整流回路７、及びＤＣ−ＤＣコンバータ８は、受電器２０に含まれる。受電器２０は、送電器１０から送電される電力を受電する。受電器２０には、バッテリ９が接続される。
【００１６】
まず、送電器１０に含まれる１次側コイル１、１次側共振コイル２、整合回路５、及び交流電源６について説明する。
【００１７】
図１に示すように、１次側コイル１は、ループ状のコイルであり、両端間に整合回路５を介して交流電源６が接続されている。１次側コイル１は、１次側共振コイル２と非接触で近接して配置されており、１次側共振コイル２と電磁界結合される。１次側コイル１は、自己の中心軸が１次側共振コイル２の中心軸と一致するように配設される。中心軸を一致させるのは、１次側コイル１と１次側共振コイル２との結合強度を向上させるとともに、磁束の漏れを抑制して、不必要な電磁界が１次側コイル１及び１次側共振コイル２の周囲に発生することを抑制するためである。
【００１８】
また、図２の等価回路に示すように、１次側コイル１は、インダクタンスＬ１のコイルとして表すことができる。なお、１次側コイル１は、実際には抵抗成分とキャパシタ成分を含むが、図２では省略する。
【００１９】
１次側コイル１は、交流電源６から整合回路５を経て供給される交流電力によって磁界を発生し、電磁誘導（相互誘導）により電力を１次側共振コイル２に送電する。
【００２０】
図１に示すように、１次側共振コイル２は、１次側コイル１と非接触で近接して配置されて１次側コイル１と電磁界結合されている。また、１次側共振コイル２は、所定の共振周波数を有し、非常に高いＱ値を有するように設計されている。１次側共振コイル２の共振周波数は、２次側共振コイル３の共振周波数と等しくされている。なお、図１では見やすさの観点から１次側共振コイル２の両端は開放されているが、１次側共振コイル２の両端の間に、共振周波数を調整するためのキャパシタが直列に接続される場合もある。
【００２１】
１次側共振コイル２は、所定の間隔を隔てて、自己の中心軸が２次側共振コイル３の中心軸と一致するように配置されている。１次側共振コイル２と２次側共振コイル３との間隔は、例えば、数メートル程度であってもよい。１次側共振コイル２と２次側共振コイル３の共振Qが十分大きければ、数メートル程度離れていても、磁界共鳴による電力の伝送が可能である。なお、中心軸を一致させるのは、１次側共振コイル２と２次側共振コイル３との間に良好な磁界共鳴を生じさせるためである。
【００２２】
ここでは、説明の便宜上、１次側共振コイル２の中心軸と２次側共振コイル３の中心軸とが一致する場合を示すが、磁界共鳴方式は、送電側のコイルと受電側のコイルの位置ずれに対しても、電磁誘導方式よりも強いというメリットがある。
【００２３】
すなわち、磁界共鳴方式は、共振コイル同士の間の距離又は位置ずれについて、電磁誘導方式よりも自由度が高く、ポジションフリーというメリットがある。
【００２４】
従って、１次側共振コイル２と２次側共振コイル３は、中心軸を一致させて配置する必要はなく、互いに角度を有するような位置関係で配設されていてもよい。
【００２５】
また、１次側共振コイル２と２次側共振コイル３とは、ある程度距離が離れていても磁界共鳴による電力の伝送が可能であるため、１次側共振コイル２と２次側共振コイル３の直径は異なっていてもよい。１次側共振コイル２と２次側共振コイル３の直径は、例えば、１０倍程度異なっていてもよい。これは、磁界共鳴による電力の伝送は、電磁界結合を利用した電磁誘導による電力の伝送と異なり、１次側共振コイル２と２次側共振コイル３との距離がある程度離れていても電力を伝送できるからである。
【００２６】
また、図２の等価回路に示すように、１次側共振コイル２は、インダクタンスＬ２のコイルと、キャパシタンスＣ２のキャパシタを有するループ回路として表すことができる。キャパシタンスＣ２は、１次側共振コイル２の両端間に周波数調整用に接続されるキャパシタの容量である。なお、１次側共振コイル２は、実際には抵抗成分を含むが、図２では省略する。
【００２７】
１次側共振コイル２の共振周波数は、交流電源６が出力する交流電力の周波数と同一の周波数になるように設定されている。１次側共振コイル２の共振周波数は、１次側共振コイル２のインダクタンスＬ２とキャパシタンスＣ２によって決まる。このため、１次側共振コイル２のインダクタンスＬ２とキャパシタンスＣ２は、１次側共振コイル２の共振周波数が、交流電源６から出力される交流電力の周波数と同一の周波数になるように設定されている。
【００２８】
なお、１次側共振コイル２は、寄生容量だけで共振周波数を設定でき、かつ、１次側共振コイル２の浮遊容量を固定できる場合は、両端が開放されていてもよい。
【００２９】
整合回路５は、１次側コイル１と交流電源６とのインピーダンス整合を取るために挿入されており、インダクタＬとキャパシタＣを含む。
【００３０】
交流電源６は、磁界共鳴に必要な周波数の交流電力を出力する電源であり、出力電力を増幅するアンプを内蔵する。交流電源６は、例えば、数百kHzから数十ＭＨｚ程度の高周波の交流電力を出力する。
【００３１】
以上の１次側コイル１、１次側共振コイル２、整合回路５、及び交流電源６を含む送電器１０は、交流電源６から１次側コイル１に供給される交流電力を磁気誘導により１次側共振コイル２に送電し、１次側共振コイル２から磁界共鳴により電力を受電器２０の２次側共振コイル３に送電する。
【００３２】
次に、受電器２０に含まれる２次側共振コイル３、２次側コイル４、整流回路７、及びＤＣ−ＤＣコンバータ８について説明する。
【００３３】
図１に示すように、受電器２０に含まれる２次側共振コイル３は、１次側共振コイル２と所定の間隔を隔てて、自己の中心軸が１次側共振コイル２の中心軸と一致するように配置されている。
【００３４】
図１では見やすさの観点から２次側共振コイル３の両端は開放されているが、２次側共振コイル３の両端間には、共振周波数を調整するためのキャパシタが直列に接続される場合もある。
【００３５】
２次側共振コイル３は、１次側共振コイル２と同一の共振周波数を有し、非常に高いＱ値を有するように設計されている。
【００３６】
２次側共振コイル３と１次側共振コイル２との間隔は、例えば、数メートル程度であってもよい。２次側共振コイル３と１次側共振コイル２は、共振Qが十分大きければ数メートル程度離れていても、磁界共鳴による電力の伝送が可能である。
【００３７】
また、上述したように、磁界共鳴方式は、送電側のコイルと受電側のコイルの位置ずれに対しても、電磁誘導方式よりも強いというメリットがある。
【００３８】
すなわち、磁界共鳴方式は、共振コイル同士の間の距離又は位置ずれについて、電磁誘導方式よりも自由度が高く、ポジションフリーというメリットがある。
【００３９】
従って、２次側共振コイル３と１次側共振コイル２は、中心軸を一致させて配置する必要はなく、互いに角度を有するような位置関係で配設されていてもよい。
【００４０】
また、２次側共振コイル３と１次側共振コイル２とは、ある程度距離が離れていても磁界共鳴による電力の伝送が可能であるため、１次側共振コイル２と２次側共振コイル３の直径は異なっていてもよい。２次側共振コイル３と１次側共振コイル２の直径は、例えば、１０倍程度あるいはそれ以上異なっていてもよい。これは、磁界共鳴による電力の伝送は、電磁界結合を利用した電磁誘導による電力の伝送と異なり、２次側共振コイル３と１次側共振コイル２との距離がある程度離れていても電力を伝送できるからである。
【００４１】
また、２次側共振コイル３は、２次側コイル４と非接触で近接して配置されており、２次側コイル４と電磁界結合されている。２次側共振コイル３は、１次側共振コイル２から磁界共鳴によって受電する電力を、電磁誘導（相互誘導）により２次側コイル４に送電する。
【００４２】
また、図２の等価回路に示すように、２次側共振コイル３は、インダクタンスＬ３のコイルと、キャパシタンスＣ３のキャパシタを有するように表すことができる。キャパシタンスＣ３は、２次側共振コイル３の両端間に周波数調整用に接続されるキャパシタの容量である。なお、２次側共振コイル３は、実際には抵抗成分を含むが、図２では省略する。
【００４３】
２次側共振コイル３の共振周波数は、２次側共振コイル３のインダクタンスＬ３とキャパシタンスＣ３によって決まる。このため、２次側共振コイル３のインダクタンスＬ３とキャパシタンスＣ３は、２次側共振コイル３の共振周波数が、１次側共振コイル２の共振周波数と、交流電源６から出力される交流電力の周波数と同一の周波数になるように設定されている。
【００４４】
なお、２次側共振コイル３は、寄生容量だけで共振周波数を設定でき、かつ、２次側共振コイル３の浮遊容量を固定できる場合は、両端が開放されていてもよい。
【００４５】
図１に示すように、２次側コイル４は、１次側コイル１と同様のループ状のコイルであり、２次側共振コイル３と電磁界結合されるとともに、両端間に整流回路７が接続されている。
【００４６】
２次側コイル４は、自己の中心軸が２次側共振コイル３の中心軸と一致するように配設されている。２次側コイル４は、２次側共振コイル３と非接触で近接して配置されており、２次側共振コイル３と電磁界結合される。中心軸を一致させるのは、２次側共振コイル３と２次側コイル４の結合強度を向上させるとともに、磁束の漏れを抑制して、不必要な電磁界が２次側共振コイル３及び２次側コイル４の周囲に発生することを抑制するためである。
【００４７】
また、図２の等価回路に示すように、２次側コイル４は、インダクタンスＬ４のコイルとして表すことができる。なお、２次側コイル４は、実際には抵抗成分とキャパシタ成分を含むが、図２では省略する。
【００４８】
２次側コイル４は、２次側共振コイル３から電磁誘導（相互誘導）により電力を受電し、電力を整流回路７に供給する。
【００４９】
整流回路７は、４つのダイオード７Ａ〜７Ｄ及びキャパシタ７Ｅを有する。ダイオード７Ａ〜７Ｄは、ブリッジ状に接続されており、２次側コイル４から入力される電力を全波整流して出力する。キャパシタ７Ｅは、ダイオード７Ａ〜７Ｄを含むブリッジ回路の出力側に接続される平滑用キャパシタであり、ダイオード７Ａ〜７Ｄを有するブリッジ回路で全波整流された電力を平滑化して直流電力として出力する。
【００５０】
ＤＣ−ＤＣコンバータ８は、整流回路７の出力側に接続されており、整流回路７から出力される直流電力の電圧をバッテリ９の定格電圧に変換して出力する。ＤＣ−ＤＣコンバータ８は、整流回路７の出力電圧の方がバッテリ９の定格電圧よりも高い場合は、整流回路７の出力電圧をバッテリ９の定格電圧まで降圧する。また、ＤＣ−ＤＣコンバータ８は、整流回路７の出力電圧の方がバッテリ９の定格電圧よりも低い場合は、整流回路７の出力電圧をバッテリ９の定格電圧まで昇圧する。
【００５１】
なお、ＤＣ−ＤＣコンバータ８の動作は、整流回路７の出力電圧と、バッテリ９の定格電圧との関係に応じて決めればよいため、ＤＣ−ＤＣコンバータ８は、降圧又は昇圧のうちのいずれか一方のみを行うものであってもよい。
【００５２】
以上のような２次側共振コイル３、２次側コイル４、整流回路７、及びＤＣ−ＤＣコンバータ８を含む受電器２０は、１次側共振コイル２から磁界共鳴によって送電される交流電力を直流電力に変換し、さらにバッテリ９の定格電圧に変換してバッテリ９に供給する。
【００５３】
バッテリ９は、繰り返し充電が可能な二次電池であればよく、例えば、薄膜型のリチウムイオン電池を用いることができる。
【００５４】
なお、１次側コイル１、１次側共振コイル２、２次側共振コイル３、２次側コイル４は、例えば、銅線を巻回することによって作製される。しかしながら、１次側コイル１、１次側共振コイル２、２次側共振コイル３、２次側コイル４の材質は、銅以外の金属（例えば、金、アルミニウム等）であってもよい。また、１次側コイル１、１次側共振コイル２、２次側共振コイル３、２次側コイル４の材質は異なっていてもよい。
【００５５】
このような充電システム５０において、１次側コイル１及び１次側共振コイル２が電力の送電側であり、２次側コイル３及び２次側共振コイル４が電力の受電側である。
【００５６】
充電システム５０は、１次側共振コイル２と２次側共振コイル３との間で生じる磁界共鳴を利用して送電側から受電側に電力を伝送する磁界共鳴方式である。このため、充電システム５０は、送電側から受電側に電磁誘導で電力を伝送する電磁誘導方式よりも長距離での電力の伝送が可能である。
【００５７】
また、磁界共鳴方式は、送電側のコイルと受電側のコイルの位置ずれに対しても、電磁誘導方式よりも自由度が高く、ポジションフリーというメリットがある。
【００５８】
次に、図３及び図４を用いて、実施の形態１の歯科補綴装置と生体情報取得装置について説明する。
【００５９】
図３は、実施の形態１の歯科補綴装置１００、洗浄機３００、及び生体情報取得装置５００を示す図である。図４は、歯科補綴装置１００を洗浄機３００で洗浄する状態を示す図である。
【００６０】
生体情報取得装置５００は、歯科補綴装置１００と洗浄機３００とを含む。
【００６１】
歯科補綴装置１００は、所謂入れ歯型の生体情報検出器である。歯科補綴装置１００は、受電器２０、バッテリ９、制御部１２０、センサ１３０、メモリ１４０、通信部１５０、及び歯科補綴用の構造体１６０を含む。
【００６２】
歯科補綴装置１００は、歯科補綴装置１００を口腔内に装着する装着者（歯科補綴装置１００の利用者）の生体情報を検出する。ここで、歯科補綴装置１００の装着者とは、歯科補綴装置１００の利用者と同義であり、同一人物である。
【００６３】
ここで、歯科補綴用の構造体１６０は、所謂入れ歯（義歯）である。構造体１６０は、歯部（人工歯）１６０Ａと、歯部１６０Ａ以外の擬似的な歯茎（人工歯茎）の部分であるベース部１６０Ｂとを有する。
【００６４】
構造体１６０は、中央の２つの中切歯から左右の第二大臼歯までの１４本の歯部１６０Ａを上下に含む。歯部１６０Ａは、ベース部１６０Ｂに嵌着されている。歯部１６０Ａは、例えば、セラミック又は樹脂等で形成される。また、ベース部１６０Ｂは、例えば、樹脂で形成される。
【００６５】
受電器２０、バッテリ９、制御部１２０、センサ１３０、メモリ１４０、及び通信部１５０は、歯科補綴用の構造体１６０のベース部１６０Ｂに内蔵されている。受電器２０、バッテリ９、制御部１２０、センサ１３０、メモリ１４０、及び通信部１５０は、例えば、ベース部１６０Ｂをモールド成型によって作製する際に、内部に挿入すればよい。
【００６６】
すなわち、受電器２０、バッテリ９、制御部１２０、センサ１３０、メモリ１４０、及び通信部１５０は、ベース部１６０Ｂを所謂インサートモールド成型によって作製することにより、ベース部１６０Ｂに内蔵させることができる。
【００６７】
受電器２０は、受電コイル１１０を有する。受電コイル１１０は、図１及び図２に示す２次側共振コイル３及び２次側コイル４を１つのコイルとして表したものである。
【００６８】
また、受電器２０は、受電コイル１１０の他に、整流回路７とＤＣ−ＤＣコンバータ８（図１及び図２参照）を有するが、図３では省略する。受電器２０は、バッテリ９に接続されている。受電器２０は、充電部の一例である。
【００６９】
バッテリ９は、受電器２０と、制御部１２０、センサ１３０、メモリ１４０、及び通信部１５０との間で電気的に接続されている。バッテリ９は、受電器２０が受電した電力によって充電され、制御部１２０、センサ１３０、メモリ１４０、及び通信部１５０に電力を供給する。バッテリ９は、電源の一例である。
【００７０】
制御部１２０は、バッテリ９、センサ１３０、メモリ１４０、及び通信部１５０の各種制御を行う。制御部１２０による制御内容については後述する。
【００７１】
センサ１３０は、生体センサの一例であり、歯科補綴装置１００を口腔内に装着する装着者の生体情報を検出する。ここで、生体情報としては、例えば、体温、口腔内のｐＨ(potential Hydrogen)、電気伝導率、ナトリウムイオン量、又はカリウムイオン量等が挙げられる。
【００７２】
このため、センサ１３０としては、例えば、生体情報の一例としてのｐＨ、電気伝導率、ナトリウムイオン量、又はカリウムイオン量等の情報を検出するセンサを用いることができる。これらの情報を検出でき、かつ、防水型のセンサは市販されているので、検出する情報に応じたセンサを選択し、センサ１３０として用いればよい。
【００７３】
なお、センサ１３０は構造体１６０（図３参照）のベース部１６０Ｂに内蔵されており、ベース部１６０Ｂを構築する樹脂等で覆われている。しかしながら、センサ１３０で情報を検出するために、利用者の唾液等に直接触れることが必要な場合は、ベース部１６０Ｂに孔部を設け、孔部を介して情報を検出すればよい。また、センサ１３０の電極等をベース部１６０Ｂから露出させてもよい。
【００７４】
センサ１３０によって検出される生体情報は、制御部１２０によってメモリ１４０に格納される。
【００７５】
メモリ１４０は、センサ１３０によって検出される生体情報を表すデータ（以下、生体データ）を格納する。生体情報は、例えば、検出日時等の情報と関連付けられてメモリ１４０に格納される。
【００７６】
通信部１５０は、制御部１２０がメモリ１４０から読み出した生体データを洗浄機３００に送信する。通信部１５０は、例えば、数十センチから数メートル程度の近距離通信が行える通信機であればよい。通信部１５０は、例えば、Bluetooth（登録商標）規格の無線通信が行える通信機であればよい。
【００７７】
洗浄機３００は、送電コイル３１０、制御部３２０、通信部３３０、整合回路５、及び交流電源６を含む。洗浄機３００は、図４に示すように、歯科補綴装置１００を洗浄する装置であり、例えば、高速振動による洗浄又は超音波洗浄等によって歯科補綴装置１００を洗浄する。
【００７８】
図４には、洗浄機３００の収容部３０１に歯科補綴装置１００を収容し、容器３４０から洗浄液３４０Ａを収容部３０１内に注いでいる状態を示す。歯科補綴装置１００は、収容部３０１に収容された状態で、洗浄機３００が収容部３０１に振動を与えることによって洗浄される。
【００７９】
送電コイル３１０は、図１及び図２に示す１次側コイル１及び１次側共振コイル２を１つのコイルとして表したものである。送電コイル３１０は、整合回路５を介して交流電源６に接続されている。図３では、送電コイル３１０、整合回路５、及び交流電源６が送電器１０（図１及び図２参照）を構築する。
【００８０】
送電コイル３１０は、図４に示す収容部３０１の近傍（例えば、収容部３０１の下）に配設されており、収容部３０１に歯科補綴装置１００が収容された状態で、歯科補綴装置１００の受電コイル１１０と磁界共鳴による電力の伝送が可能な位置に配設されている。
【００８１】
すなわち、歯科補綴装置１００が収容部３０１に収容されると、受電コイル１１０と送電コイル３１０との位置関係は図３に示すような位置関係になる。
【００８２】
制御部３２０は、送電器１０の交流電源６に交流電力を出力させて、送電器１０の送電コイル３１０から受電器２０の受電コイル１１０に電力を送電させる処理を行う。また、制御部３２０は、歯科補綴装置１００の通信部１５０から近距離無線通信によって送信される生体データを通信部３３０で受信する処理と、通信部３３０で受信した生体データを、近距離無線通信により、後述するスマートフォンに転送する処理とを行う。
【００８３】
通信部３３０は、歯科補綴装置１００の通信部１５０から送信される生体データを受信する。通信部３３０は、例えば、数十センチから数メートル程度の近距離通信が行える通信機であればよい。
【００８４】
通信部３３０は、歯科補綴装置１００の通信部１５０と通信を行えるとともに、後述するスマートフォンと通信を行える装置であればよく、例えば、歯科補綴装置１００の通信部１５０と同様に、Bluetooth（登録商標）規格の無線通信が行える通信機であればよい。
【００８５】
通信部３３０は、図４に示す収容部３０１の近傍に配設されており、収容部３０１に歯科補綴装置１００が収容された状態で、歯科補綴装置１００の通信部１５０から送信される生体情報を受信可能な位置に配設されている。
【００８６】
なお、通信部３３０は、歯科補綴装置１００の通信部１５０と近距離無線通信を行うとともに、後述するスマートフォンと近距離無線通信を行うために、メモリを内蔵してもよい。
【００８７】
次に、図５を用いて、実施の形態１の生体データ取得システムにおける、歯科補綴装置１００の充電と、生体データを歯科補綴装置１００からデータセンターに送信する際のデータの流れとについて説明する。
【００８８】
図５は、歯科補綴装置１００の充電と、生体データを歯科補綴装置１００からデータセンターに送信する際のデータの流れを示す図である。図５（Ａ）は、通常時における生体データの流れを示し、図５（Ｂ）は、異常時における生体データの流れを示す。
【００８９】
また、図５（Ａ）には、実施の形態１の生体データ取得システム８００を示す。生体データ取得システム８００は、生体情報取得装置５００、スマートフォン６００、及びデータセンター７００を含む。生体情報取得装置５００は、歯科補綴装置１００と洗浄機３００とを含むため、生体データ取得システム８００は、歯科補綴装置１００、洗浄機３００、スマートフォン６００、及びデータセンター７００を含むことになる。
【００９０】
図５（Ａ）と図５（Ｂ）は、歯科補綴装置１００とデータセンター７００との間における生体データの伝送経路が異なる。
【００９１】
ここで、異常時とは、利用者が歯科補綴装置１００を装着している間に取得される生体データが緊急を要する内容を示す場合であり、通常時とは、利用者が歯科補綴装置１００を装着している間に取得される生体データが異常ではない場合をいう。
【００９２】
生体データが緊急を要する内容を示す場合とは、例えば、センサ１３０で体温を検出している場合は、生体データが示す体温が所定の温度よりも低下した場合をいう。
【００９３】
また、センサ１３０で、ｐＨ、電気伝導率、ナトリウムイオン量、又はカリウムイオン量等を検出している場合は、生体データが示す各値と所定の基準値との差が、所定値よりも大きくなった場合（所定の基準値からの逸脱量が所定値よりも大きくなった場合）をいう。
【００９４】
ここで、生体データに異常があるか否かは、歯科補綴装置１００の制御部１２０が判定する。
【００９５】
歯科補綴装置１００は、洗浄機３００の収容部３０１に収容されて洗浄されているときに、受電器２０を介して洗浄機３００の送電器１０から電力を受電し、バッテリ９を充電する。バッテリ９の充電は、利用者が歯科補綴装置１００を装着していない状態で行われる。すなわち、充電が行われている段階では生体データは取得されないため、バッテリ９の充電を行う状態は、図５（Ａ）と図５（Ｂ）で同様である。
【００９６】
歯科補綴装置１００が利用者の口腔内に装着された状態で、制御部１２０、センサ１３０、メモリ１４０、及び通信部１５０は、バッテリ９から供給される電力によって動作し、センサ１３０によって検出される生体データは、メモリ１４０に格納される。
【００９７】
生体データに異常がない通常時は、図５（Ａ）に示すように、歯科補綴装置１００が再度洗浄機３００によって洗浄される際に、メモリ１４０に格納された生体データは、制御部１２０によって読み出され、通信部１５０から送信され、洗浄機３００の通信部３３０によって受信される。
【００９８】
また、洗浄機３００の通信部３３０は、通信部１５０から受信した生体データをスマートフォン６００に転送する。
【００９９】
スマートフォン６００は、典型的には、歯科補綴装置１００の利用者の所有物であるが、歯科補綴装置１００の利用者の家族等の特定の者の所有物であってもよい。
【０１００】
スマートフォン６００は、通信部６１０と通信部６２０を含む。通信部６１０は、近距離通信用の通信を行う通信機であり、例えば、洗浄機３００の通信部３３０と同様に、Bluetooth（登録商標）規格の無線通信が行える通信機であればよい。
【０１０１】
また、通信部６２０は、例えば、３Ｇ（3rd Generation）等の移動通信用の通信機、又は、無線ＬＡＮ（Local Area Network）あるいはＷｉ−Ｆｉ（Wireless Fidelity）用の通信機であり、ネットワーク９００に接続できる通信機であればよい。ネットワーク９００は、例えば、インターネット、又は、携帯電話会社のネットワーク等であればよい。
【０１０２】
通信部６２０は、近接通信用の通信部６１０とは異なり、遠隔地にあるデータセンター７００の通信部７１０と、ネットワーク９００を介して通信を行う。
【０１０３】
データセンター７００は、多数の歯科補綴装置１００で取得される生体データを集中管理するサーバ等の情報処理装置であり、制御部７０１、通信部７１０、及びメモリ７２０を含む。制御部７０１は、サーバ等のＣＰＵ(Central Processing Unit：中央演算処理装置)チップであればよい。
【０１０４】
通信部７１０は、例えば、３Ｇ（3rd Generation）等の移動通信用の通信機、又は、無線ＬＡＮ（Local Area Network）あるいはＷｉ−Ｆｉ（Wireless Fidelity）用の通信機であればよい。
【０１０５】
メモリ７２０は、例えば、ハードディスクのような記憶保持装置であればよい。
【０１０６】
データセンター７００は、サーバ等の情報処理装置のメモリに、ネットワーク９００を介して、多数の歯科補綴装置１００から送られてくる生体データを格納する。
【０１０７】
図５（Ａ）に示すように、スマートフォン６００を洗浄機３００の近くに配設する。スマートフォン６００の通信部６１０は、洗浄機３００の通信部３３０と近距離通信を行う。これにより、洗浄機３００の通信部３３０が歯科補綴装置１００の通信部１５０から受信した生体データをスマートフォン６００に転送することができる。
【０１０８】
また、スマートフォン６００の通信部６２０が、ネットワーク９００を介してデータセンター７００の通信部７１０と通信を行うことにより、歯科補綴装置１００で取得された生体データをデータセンター７００に転送することができる。
【０１０９】
また、生体データの内容に異常がある場合は、図５（Ｂ）に示すように、通信部１５０から近距離無線通信によってスマートフォン６００の通信部６１０に生体データを直接的に送信する。
【０１１０】
例えば、生体データが、歯科補綴装置１００の利用者の体温のデータである場合には、制御部１２０が生体データを監視し、体温が所定の温度以下になった場合に、生体データをメモリ１４０から読み出し、通信部１５０から送信するように、制御部１２０を動作させればよい。
【０１１１】
これは、利用者が歯科補綴装置１００を装着している状態で体温の低下が生じた場合に、利用者が歯科補綴装置１００を装着した状態で、生体データが歯科補綴装置１００の通信部１５０からスマートフォン６００の通信部６１０に直接的に送信される場合である。
【０１１２】
このような通信部１５０と通信部６１０との間の近距離無線通信を実現させるためには、利用者は、スマートフォン６００を身の回りに置いておけばよい。
【０１１３】
ここで、歯科補綴装置１００からデータセンター７００までのデータの流れを図６を用いて説明する。
【０１１４】
図６は、歯科補綴装置１００からデータセンター７００までの生体データの伝送ルートを示す図である。図６（Ａ）は、通常時における生体データの伝送ルートを示し、図６（Ｂ）は、異常時における生体データの伝送ルートを示す。図６（Ａ）は、図５（Ａ）に対応し、図６（Ｂ）は、図５（Ｂ）に対応する。
【０１１５】
図６（Ａ）に示すように、通常時は、センサ１３０で検出される生体データは、メモリ１４０に格納される。メモリ１４０に格納された生体データは、制御部１２０（図５参照）によって通信部１５０から、近距離無線通信によって通信部３３０に送信される。
【０１１６】
通信部１５０と通信部３３０との間での近距離無線通信は、歯科補綴装置１００が洗浄機３００によって洗浄される際に行われる。なお、このとき、歯科補綴装置１００は洗浄機３００によって充電される。
【０１１７】
洗浄機３００の通信部３３０によって受信された生体データは、近距離無線通信によってスマートフォン６００の通信部６１０に送信される。通信部６１０によって受信された生体データは、スマートフォン６００の内部で、通信部６２０に転送される。
【０１１８】
通信部６２０は、ネットワーク９００を介して、生体データをデータセンター７００に送信する。このとき、例えば、スマートフォン６００のメールアドレス等の情報を、スマートフォン６００を識別する情報として用いて、生体データと関連付けてデータセンター７００に送信すればよい。
【０１１９】
データセンター７００では、スマートフォン６００の通信部６２０から受信した生体データはメモリに格納される。生体データは、歯科補綴装置１００の利用者を識別する識別子と関連付けてメモリに格納することが好ましい。
【０１２０】
上述のように、生体データがスマートフォン６００のメールアドレスと関連付けられてデータセンター７００に送信される場合は、生体データは、歯科補綴装置１００の利用者のスマートフォン６００のメールアドレスと関連付けられた状態で、データセンター７００のメモリに格納される。
【０１２１】
また、生体データが緊急を要する内容を示す場合には、図６（Ｂ）に示すように、通信部１５０から近距離無線通信によってスマートフォン６００の通信部６１０に生体データを直接的に送信する。
【０１２２】
利用者が歯科補綴装置１００を装着している状態で取得された生体データが異常を示す場合は、利用者が歯科補綴装置１００を装着した状態で、異常を示す生体データが歯科補綴装置１００の通信部１５０からスマートフォン６００の通信部６１０に直接的に送信される。
【０１２３】
次に、図７を用いて、図６（Ａ）、（Ｂ）に示す生体データの流れを実現するための歯科補綴装置１００及び洗浄機３００で実行する処理について説明する。
【０１２４】
図７は、歯科補綴装置１００の制御部１２０及び洗浄機３００の制御部３２０で実行する処理を示すフローチャートである。
【０１２５】
ここで、実施の形態１の歯科補綴装置１００で取得した生体データをデータセンター７００に送信するには、洗浄機３００の近くにスマートフォン６００を配設しておくことが必要である。洗浄機３００の近くとは、洗浄機３００の通信部３３０と、スマートフォン６００の通信部６１０との間で、近距離無線通信が可能な程度に近くであることをいう。
【０１２６】
Bluetooth（登録商標）規格等の無線通信は、一般的な住居の部屋であれば、部屋全体を通信可能なエリアにできる。このため、歯科補綴装置１００の利用者は、歯科補綴装置１００を洗浄機３００で洗浄する際に、洗浄機３００がある部屋にスマートフォン６００を置いておけば、上述のように洗浄機３００の近くにスマートフォン６００を配設した状態を実現できる。
【０１２７】
また、制御部１２０は、生体データの検出インターバルをカウントする第１タイマーと、利用者の行動を監視するための第２タイマーを内蔵しており、それぞれのカウンターによって経過時間を監視する。
【０１２８】
まず、歯科補綴装置１００の制御部１２０の処理について説明する。
【０１２９】
制御部１２０は、バッテリ９に電力が蓄積されている場合に、バッテリ９から供給される電力によって駆動され、処理をスタートする（スタート）。また、制御部１２０は、処理をスタートすると、第１タイマー及び第２タイマーによる経過時間のカウントを開始する。
【０１３０】
制御部１２０は、バッテリ９が充電中であるか否かを判定する（ステップＳ１）。バッテリ９が充電中であるか否かは、例えば、ＤＣ−ＤＣコンバータ８の出力電圧を監視し、ＤＣ−ＤＣコンバータ８の出力電圧が所定値より高ければバッテリ９は充電中であり、ＤＣ−ＤＣコンバータ８の出力電圧が所定値より低ければバッテリ９は充電中ではない。
【０１３１】
このため、制御部１２０は、ＤＣ−ＤＣコンバータ８の出力電圧を監視することにより、バッテリ９の充電量が増大中であるか否かを判定すればよい。
【０１３２】
制御部１２０は、ステップＳ１で充電中ではない（Ｓ１：ＮＯ）と判定した場合は、第１タイマーによってカウントされる経過時間を監視し、所定時間が経過したか否かを判定する（ステップＳ２）。
【０１３３】
第１タイマーの所定時間とは、歯科補綴装置１００の利用者の生体情報を検出するインターバルを示す時間である。制御部１２０は、第１タイマーで所定時間をカウントする度に、センサ１３０を用いて生体情報を検出する。第１タイマーの所定時間は、例えば、１時間に設定される。すなわち、生体情報は、１時間毎に検出される。
【０１３４】
制御部１２０は、ステップＳ２で所定時間が経過した（Ｓ２：ＹＥＳ）と判定した場合は、センサ１３０を用いて生体情報を検出する（ステップＳ３）。センサ１３０がｐＨ、電気伝導率、ナトリウムイオン量、又はカリウムイオン量のいずれかを検出するセンサである場合は、ステップＳ３の処理でｐＨ、電気伝導率、ナトリウムイオン量、又はカリウムイオン量のいずれかを表す生体情報が検出される。
【０１３５】
次に、制御部１２０は、ステップＳ３で検出した生体情報を表す生体データをメモリ１４０に格納する（ステップＳ４）。なお、制御部１２０は、生体データをメモリ１４０に格納する際に、生体情報の検出時の時刻を表す時刻データと生体データとを関連付けて格納してもよい。
【０１３６】
次に、制御部１２０は、ステップＳ４でメモリ１４０に格納した生体データを読み出し、生体データのデータ内容に異常があるか否かを判定する（ステップＳ５）。例えば、生体データが体温を表す場合は、体温が所定の温度以下に低下しているか否かを判定することにより、生体データのデータ内容に異常があるか否かを判定すればよい。
【０１３７】
また、生体データがｐＨ、電気伝導率、ナトリウムイオン量、又はカリウムイオン量である場合には、それぞれ、所定の基準値からの逸脱量等に応じて、生体データのデータ内容に異常があるか否かを判定すればよい。
【０１３８】
制御部１２０は、ステップＳ５で生体データに異常がないと判定した場合は、第２タイマーによってカウントされる経過時間を監視し、所定時間が経過したか否かを判定する（ステップＳ６）。
【０１３９】
第２タイマーの所定時間とは、歯科補綴装置１００の利用者が歯科補綴装置１００を洗浄しているか否かを判定するためのインターバルを示す時間である。第２タイマーは、歯科補綴装置１００が洗浄機３００によって洗浄された後にリセットされるため、第２タイマーの所定時間が経過した（Ｓ６：ＹＥＳ）と制御部１２０によって判定される場合は、歯科補綴装置１００の洗浄が行われずに第２タイマーの所定時間が経過する場合である。
【０１４０】
第２タイマーの所定時間は、例えば、２４時間に設定される。すなわち、２４時間に一度、歯科補綴装置１００を洗浄しているか否かが制御部１２０によって検出されることになる。
【０１４１】
このため、第２タイマーの所定時間のカウントにより、ステップＳ６において、少なくとも２４時間毎に生体データがデータセンター７００に送信されているか否かを判定することができる。
【０１４２】
制御部１２０は、ステップＳ６で第２タイマーの所定時間が経過していない（Ｓ６：ＮＯ）と判定した場合は、フローをステップＳ１にリターンする。この結果、制御部１２０は、フローをステップＳ１から繰り返し実行する。
【０１４３】
また、制御部１２０は、ステップＳ１で充電中である（Ｓ１：ＹＥＳ）と判定した場合は、メモリ１４０に格納した生体データを通信部１５０を介して洗浄機３００の通信部３３０に送信する（ステップＳ７）。ステップＳ７の処理により、歯科補綴装置１００で取得された生体データは、近距離無線通信によって洗浄機３００に伝送される。
【０１４４】
次に、制御部１２０は、第２タイマーをクリアする（ステップＳ８）。ステップＳ８の処理は、洗浄機３００への生体データの送信処理が終了した後に、次回の生体データの取得に備えて、制御部１２０が内蔵の第２タイマーをリセット（クリア）する処理である。
【０１４５】
次に、制御部１２０は、歯科補綴装置１００の洗浄の終了を待つ（ステップＳ９）。歯科補綴装置１００の洗浄には、予め決められた所定の時間がかかるため、制御部１２０は、所定の時間だけ待機する。所定の時間が経過すると、制御部１２０は、フローをステップＳ１にリターンさせる。
【０１４６】
また、制御部１２０は、ステップＳ２において、生体情報を検出するインターバルを示す第１タイマーの所定時間が経過していない（Ｓ２：ＮＯ）と判定した場合は、フローをステップＳ６に進行させる。
【０１４７】
ステップＳ３〜Ｓ５をスキップしてステップＳ６に進行するのは、生体情報を検出するインターバルを示す第１タイマーの所定時間が経過していない場合には、生体データの検出を行わないからである。
【０１４８】
制御部１２０は、ステップＳ６においてタイマーを監視し、第２タイマーの所定時間が経過していたか否かを判定する。
【０１４９】
また、制御部１２０は、ステップＳ５において、生体データのデータ内容に異常がある（Ｓ５：ＹＥＳ）と判定した場合は、その生体データを通信部１５０から発信する（ステップＳ１０）。
【０１５０】
生体データのデータ内容に異常がある場合は、緊急事態が発生している可能性があるため、洗浄機３００で洗浄されている状態ではなくても、通信部１５０から生体データを近距離無線通信によって緊急発信することとしたものである。
【０１５１】
ここで、フローがステップＳ１０に進行する場合は、歯科補綴装置１００は洗浄中ではないため、歯科補綴装置１００の近くに洗浄機３００が存在するとは限らない。
【０１５２】
従って、ステップＳ１０で通信部１５０から生体データを送信する場合には、通信部１５０からスマートフォン６００を介して、データセンター７００に生体データを送信する。
【０１５３】
このため、スマートフォン６００には、制御部１２０がステップＳ１０の処理を実行することによって通信部１５０から発信された生体データを通信部６１０で受信すると、自動的に処理を開始し、通信部６２０で生体データをデータセンター７００に転送する機能を持たせておけばよい。
【０１５４】
このような機能は、スマートフォン６００用の専用のアプリケーションプログラムを作成し、スマートフォン６００にインストールしておけばよい。スマートフォン６００がステップＳ１０の処理によって発信される生体データを受信できるようにするために、例えば、当該アプリケーションプログラムが、所定時間毎に通信部６１０を駆動することにより、生体データを受信できるようにすればよい。
【０１５５】
例えば、利用者が歯科補綴装置１００を装着している状態で生体データに異常が生じた場合には、利用者が歯科補綴装置１００を装着した状態で、生体データが歯科補綴装置１００の通信部１５０から発信される。
【０１５６】
この結果、利用者が歯科補綴装置１００の近くに（近距離無線通信による通信が行える程度の近くに）スマートフォン６００を置いていれば、歯科補綴装置１００からスマートフォン６００に生体データを直接的に送信することができる。
【０１５７】
このようにしておけば、歯科補綴装置１００を装着する利用者の体に異常が生じたような場合に、異常を表す生体データをデータセンター７００に自動的に送信することができる。
【０１５８】
また、ステップＳ１０の処理によって通信部１５０から発信された生体データを洗浄機３００で受信するようにしてもよい。この場合は、洗浄機３００の制御部３２０が所定時間毎に、通信部３３０を駆動することにより、生体データを受信できるようにすればよい。
【０１５９】
なお、フローがステップＳ１０に進行した場合は、例えば、制御部１２０が通信部１５０から生体データを発信する処理を繰り返すようにしておけばよい。生体データを通信部１５０から繰り返し発信することにより、スマートフォン６００又は洗浄機３００によって生体データが受信される確率が向上するからである。
【０１６０】
ステップＳ１０による生体データの発信処理の繰り返し回数は、例えば、バッテリ９の容量等に応じて所定の回数に設定してもよく、又は、ステップＳ１０の処理は、歯科補綴装置１００のバッテリ９の電力が無くなるまで、制御部が繰り返すようにしてもよい。
【０１６１】
また、制御部１２０は、ステップＳ６において、第２タイマーの所定時間が経過した（Ｓ６：ＹＥＳ）と判定した場合は、フローをステップＳ１０に進行させ、その生体データを通信部１５０から発信する（ステップＳ１０）。ステップＳ１０の内容は、上述の通りである。
【０１６２】
第２タイマーの所定時間が経過した場合は、緊急事態が発生している可能性があるため、洗浄機３００で洗浄されている状態ではなくても、通信部１５０から生体データを近距離無線通信によって緊急発信することとしたものである。
【０１６３】
次に、洗浄機３００の制御部３２０が実行する処理について説明する。
【０１６４】
制御部３２０は、電源が投入されると処理をスタートする（スタート）。
【０１６５】
制御部３２０は、洗浄処理を実行中であるか否かを判定する（ステップＳ２１）。洗浄処理を実行中であるか否かは、例えば、洗浄機３００の洗浄処理を実行するスイッチがオンにされたか否かに基づいて判定すればよい。
【０１６６】
制御部３２０は、ステップＳ２１において洗浄処理を実行中である（Ｓ２１：ＹＥＳ）と判定した場合は、充電を開始する（ステップＳ２２）。具体的には、制御部３２０は、送電器１０の交流電源６に交流電力を出力させて、送電器１０の送電コイル３１０から受電器２０の受電コイル１１０に電力を送電させる。
【０１６７】
これにより、送電コイル３１０の１次側共振コイル２と、受電コイル１１０の２次側共振コイル３との間で磁界共鳴による電力の伝送が行われ、歯科補綴装置１００のバッテリ９が充電される。
【０１６８】
ここで、洗浄機３００の収容部３０１の内部空間は、歯科補綴装置１００の外寸（縦、横、高さの寸法）よりも大きな内寸（縦、横、高さの寸法）を有するため、収容部３０１に収容した状態において、歯科補綴装置１００は、縦、横、及び高さの方向に位置がずれる場合がある。
【０１６９】
しかしながら、実施の形態１の歯科補綴装置１００は、磁界共鳴によって電力を受電する受電器２０を有し、実施の形態１の歯科補綴装置１００を洗浄する洗浄機３００は、磁界共鳴によって電力を送電する送電器１０を含む。
【０１７０】
このため、洗浄機３００の収容部３０１の内部で歯科補綴装置１００の位置がずれても、磁界共鳴方式による電力伝送はポジションフリーというメリットがあるため、洗浄機３００の送電器１０から送電する電力を歯科補綴装置１００の受電器２０で確実に受電することができる。
【０１７１】
従って、洗浄機３００で歯科補綴装置１００を効率的かつ確実に充電することができる。
【０１７２】
次に、制御部３２０は、歯科補綴装置１００の通信部１５０から近距離無線通信によって送信される生体データを通信部３３０で受信する（ステップＳ２３）。
【０１７３】
次に、制御部３２０は、通信部３３０で受信した生体データを、近距離無線通信により、通信部３３０からスマートフォン６００の通信部６１０に転送する（ステップＳ２４）。
【０１７４】
次に、制御部３２０は、歯科補綴装置１００の洗浄の終了を待つ（ステップＳ２５）。制御部３２０は、洗浄処理の終了まで待機し、洗浄処理が終了すると、フローをステップＳ２１にリターンする。これにより、制御部３２０は、ステップＳ２１から処理を繰り返し実行する。
【０１７５】
なお、洗浄処理が終了すると、歯科補綴装置１００は利用者によって洗浄機３００の収容部３０１（図４参照）から取り出され、口腔内に装着される。これにより、歯科補綴装置１００は、生体データを検出可能な状態になる。
【０１７６】
以上のように、実施の形態１の歯科補綴装置１００は、磁界共鳴による充電方式を採用しているため、洗浄機３００で構造体１６０（図３参照）を洗浄している間に、効率的かつ確実に充電することができる。
【０１７７】
従って、実施の形態１によれば、効率的に充電できる歯科補綴装置１００を提供することができる。
【０１７８】
また、歯科補綴装置１００は、洗浄機３００で洗浄されている間に充電された後は、利用者の口腔内に装着されることにより、体温等の生体情報を検出し、生体情報を表す生体データをメモリ１４０に格納することができる。
【０１７９】
そして歯科補綴装置１００は、次回の洗浄時に、メモリ１４０に格納された生体データを近距離無線通信によって洗浄機３００に送信する。洗浄機３００に送信された生体データは、スマートフォン６００を経てデータセンター７００に送信され、集中管理される。
【０１８０】
すなわち、歯科補綴装置１００と洗浄機３００とを含む実施の形態１の生体情報取得装置５００によって取得された生体データは、スマートフォン６００によってデータセンター７００に送信され、集中管理される。
【０１８１】
従って、実施の形態１によれば、容易に生体データを取得できる歯科補綴装置１００及び生体情報取得装置５００を提供することができる。
【０１８２】
ここで、洗浄機３００の収容部３０１の内部空間は、歯科補綴装置１００の外寸（縦、横、高さの寸法）よりも大きな内寸（縦、横、高さの寸法）を有するため、収容部３０１に収容した状態において、歯科補綴装置１００は、縦、横、及び高さの方向に位置がずれる場合がある。
【０１８３】
しかしながら、実施の形態１の歯科補綴装置１００は、磁界共鳴によって電力を受電する受電器２０を有し、実施の形態１の歯科補綴装置１００を洗浄する洗浄機３００は、磁界共鳴によって電力を送電する送電器１０を含む。
【０１８４】
このため、洗浄機３００の収容部３０１の内部で歯科補綴装置１００の位置がずれても、磁界共鳴方式による電力伝送はポジションフリーというメリットがあるため、洗浄機３００の送電器１０から送電する電力を歯科補綴装置１００の受電器２０で確実に受電することができる。
【０１８５】
従って、洗浄機３００で歯科補綴装置１００を効率的かつ確実に充電することができる。
【０１８６】
また、生体データのデータ内容に異常がある（Ｓ５：ＹＥＳ）場合、又は、第２タイマーの所定時間が経過した（Ｓ６：ＹＥＳ）場合は、緊急事態が発生している可能性があるため、通信部１５０から生体データを近距離無線通信によって緊急発信する。
【０１８７】
このため、実施の形態１によれば、利用者の万一の事態に備えて、緊急時にデータセンター７００に生体データを送信することのできる、歯科補綴装置１００及び生体情報取得装置５００を提供することができる。
【０１８８】
また、２次側共振コイル３は、歯科補綴装置１００の受電器２０に含まれるため、ある程度サイズを小さくすることが求められる。しかしながら、磁界共鳴方式による電力伝送はポジションフリーというメリットがあるため、洗浄機３００の送電器１０に含まれる１次側共振コイル２のサイズを大きくすることにより、１次側共振コイル２と２次側共振コイル３との距離がある程度（例えば、数メートル程度）離れていても、磁界共鳴による電力伝送が可能である。
【０１８９】
また、電磁誘導による電力の伝送では、１次側コイルと２次側コイルとの間又は周辺にある金属物が加熱されるおそれがあるが、磁界共鳴による電力の伝送では、１次側共振コイル２と２次側共振コイル３との間又は周辺にある金属物が加熱されることはないので、故障等が生じにくく、信頼性の高い充電方式を提供することができる。
【０１９０】
また、以上で説明した実施の形態１の歯科補綴装置１００では、受電器２０、バッテリ９、制御部１２０、センサ１３０、メモリ１４０、及び通信部１５０が構造体１６０（入れ歯）のベース部１６０Ｂに内蔵される形態について説明した。
【０１９１】
しかしながら、受電器２０、バッテリ９、制御部１２０、センサ１３０、メモリ１４０、及び通信部１５０のうちの一部、あるいは、すべては、歯部１６０Ａに内蔵されてもよい。
【０１９２】
また、以上では、構造体１６０が、中央の２つの中切歯から左右の第三大臼歯までのすべての歯部１６０Ａを上下に含む形態について説明したが、構造体１６０は、これらの歯部１６０Ａのうちの一部の歯部を含む構造（所謂部分入れ歯のような構造）であってもよい。
【０１９３】
また、以上では、送電器１０が１次側コイル１及び１次側共振コイル２を含む形態について説明した。しかしながら、送電器１０は、少なくとも１次側共振コイル２を含んでいればよい。１次側コイル１がなくても１次側共振コイル２が整合回路５から直接的に電力を受けられる場合は、送電器１０が１次側コイル１を含まずに、１次側共振コイル２を含む構成であってもよい。
【０１９４】
同様に、以上では、受電器２０が２次側共振コイル３及び２次側コイル４を含む形態について説明した。しかしながら、受電器２０は、少なくとも２次側共振コイル３を含んでいればよい。２次側コイル４がなくても２次側共振コイル３から整流回路７に直接的に電力を送電できる場合は、受電器２０は、２次側コイル４を含まずに、２次側共振コイル３を含む構成であってもよい。
【０１９５】
また、ここで、図８を用いて、実施の形態１の歯科補綴装置１００を含む生体情報取得装置５００において取得され、データセンター７００で収集された生体データを利用した体調管理サービスについて説明する。
【０１９６】
図８は、実施の形態１の生体情報取得装置５００で取得され、データセンター７００で収集された生体データを利用した体調管理サービスを説明する図である。図８には（Ａ）から（Ｃ）の３つの通知形態を示す。
【０１９７】
図８（Ａ）には、データセンター７００から、インターネット９００を介して、利用者のスマートフォン６００に電子メールを送信する通知形態を示す。この送信処理は、メモリ７２０（図５（Ａ）、（Ｂ）参照）に格納された生体データを利用者の識別子等を用いて制御部７０１が読み出し、通信部７１０から送信することによって実現される。
【０１９８】
データセンター７００には、歯科補綴装置１００の利用者の生体データが定期的に送信される。このため、データセンター７００に収集された生体データに基づいて利用者の体調を医師が診断し、診断結果を表すデータを電子メールでデータセンター７００から利用者のスマートフォン６００に送信すればよい。
【０１９９】
実施の形態１では、利用者が歯科補綴装置１００を口腔内に装着しておくだけで定期的に生体データを取得することができる。歯科補綴装置１００で取得された生体データは、データセンター７００に収集される。
【０２００】
データセンター７００に収集された生体データは、医師による利用者の診断に用いられ、健康状態等を表す診断結果は、電子メールで利用者に届けられる。
【０２０１】
このようにして、電子メールを受け取った利用者は、医師の診断結果を容易に入手できるため、実施の形態１によれば、利便性の高い生体情報取得装置５００（図３及び図５（Ａ）参照）及び生体情報取得システム８００（図５（Ａ）参照）を提供することができる。
【０２０２】
このように利便性の高い生体情報取得装置５００及び生体情報取得システム８００を提供できるのは、生体情報取得装置５００及び生体情報取得システム８００が、容易に充電できる歯科補綴装置１００を含むからである。
【０２０３】
なお、データセンター７００から利用者のスマートフォン６００に診断結果を表すデータを電子メールで送信する代わりに、データセンター７００から利用者の自宅のＰＣ（Personal Computer）に診断結果を表すデータを電子メールで送ってもよい。
【０２０４】
また、診断結果に加えて、あるいは、診断結果の代わりに、体調を改善するためのアドバイス等を含むデータを電子メールで送ってもよい。また、病気等を未然に防ぐために、生体データに基づいて、医師への面談を促す内容のメールを送ってもよい。
【０２０５】
また、図８（Ｂ）に示すように、診断結果を表すデータを電子メールで送る送付先を、利用者の縁者のスマートフォン６００Ａにしてもよい。また、スマートフォン６００Ａの代わりに、縁者のＰＣに電子メールを送ってもよい。
【０２０６】
このようにすれば、歯科補綴装置１００の利用者と縁者とが一緒に生活してなくても、縁者に利用者の健康状態等を連絡することができる。縁者は、別居している利用者の健康状態等を生体情報取得システム８００を通じて把握することができる。
【０２０７】
また、図８（Ｃ）に示すように、診断結果を表すデータを電子メールで縁者のスマートフォン６００Ａに送信することに加えて、データセンター７００からサービススタッフにアラームが通知されるようにして、サービススタッフが事前に登録された電話機６０１に電話連絡を入れるようにしてもよい。
【０２０８】
例えば、データセンター７００からサービススタッフへのアラームによる通知は、データセンター７００からサービススタッフのＰＣ等の端末機にアラームを表す信号を送信し、サービススタッフの端末機のモニタにアラームの内容を表示することによって行えばよい。また、これに加えて、端末機が警報音を出力するようにしてもよい。
【０２０９】
なお、以上では、洗浄機３００からスマートフォン６００を介してデータセンター７００に生体データを検出する形態について説明した。
【０２１０】
しかしながら、洗浄機３００がネットワーク９００に接続可能な通信部を含んでいれば、スマートフォン６００を用いなくても、洗浄機３００からネットワーク９００を介して、データセンター７００に生体データを送信することが可能になる。
【０２１１】
ここでは、図９を用いて、このような変形例について説明する。
【０２１２】
図９は、実施の形態１の変形例を示す図である。より具体的には、図９（Ａ）は、実施の形態１の変形例による生体情報取得装置５００Ａ及び生体情報取得システム８００Ａにおける生体データの流れを示す図である。図９（Ｂ）は、実施の形態１の変形例における生体データの伝送ルートを示す図である。
【０２１３】
図９（Ａ）に示すように、実施の形態１の変形例による生体情報取得装置５００Ａは、歯科補綴装置１００と洗浄機３００Ａを含む。また、実施の形態１の変形例の生体情報取得システム８００Ａは、生体情報取得装置５００Ａとデータセンター７００を含む。
【０２１４】
実施の形態１の変形例の洗浄機３００Ａは、送電器１０、制御部３２０、通信部３３０、及び通信部３５０を含む。
【０２１５】
通信部３５０は、例えば、３Ｇ（3rd Generation）等の移動通信用の通信機、又は、無線ＬＡＮ（Local Area Network）あるいはＷｉ−Ｆｉ（Wireless Fidelity）用の通信機であり、ネットワーク９００に接続できる通信機であればよい。
【０２１６】
通信部３５０は、遠隔地にあるデータセンター７００の通信部７１０と、ネットワーク９００を介して通信を行う。
【０２１７】
このように、洗浄機３００Ａが、ネットワーク９００を介してデータセンター７００と通信を行う通信部３５０を含む場合は、スマートフォン６００を用いなくても、通信部３３０が歯科補綴装置１００の通信部１５０から受信した生体データを、通信部３５０を介してデータセンター７００に送信することができる。
【０２１８】
このような場合には、スマートフォン６００を洗浄機３００Ａの近くに置いておかなくても、歯科補綴装置１００で取得した生体データをデータセンター７００に送信することができる。
【０２１９】
図９（Ｂ）に示すように、実施の形態１の変形例では、センサ１３０で検出される生体データは、メモリ１４０に格納される。メモリ１４０に格納された生体データは、制御部１２０（図５参照）によって通信部１５０から、近距離無線通信によって通信部３３０に送信される。
【０２２０】
通信部１５０と通信部３３０との間での近距離無線通信は、歯科補綴装置１００が洗浄機３００Ａ（図９（Ａ）参照）によって洗浄される際に行われる。なお、このとき、歯科補綴装置１００は洗浄機３００Ａによって充電される。
【０２２１】
洗浄機３００Ａの通信部３３０によって受信された生体データは、洗浄機３００Ａの通信部３５０に転送される。
【０２２２】
通信部３５０は、ネットワーク９００を介して、生体データをデータセンター７００に送信する。このとき、例えば、洗浄機３００Ａの識別子等の情報を、生体データと関連付けてデータセンター７００に送信すればよい。
【０２２３】
データセンター７００では、洗浄機３００Ａの通信部３５０から受信した生体データはメモリに格納される。生体データは、歯科補綴装置１００の利用者を識別する識別子と関連付けてメモリに格納することが好ましい。
【０２２４】
このように、洗浄機３００Ａに、ネットワーク９００に接続可能な通信部３５０を設ける場合は、通常時における生体データの伝送に加えて、異常時における生体データの伝送も、洗浄機３００Ａを介して行ってもよい。
【０２２５】
例えば、洗浄機３００Ａの通信部３３０が通信可能な領域が、利用者の生活空間をカバーしている場合は、利用者に装着されている歯科補綴装置１００が異常を表す生体データを検出した場合に、洗浄機３００Ａが通信部３３０で生体データを受信することができる。
【０２２６】
そして、洗浄機３００Ａが通信部３３０から通信部３５０に生体データを転送し、通信部３５０からネットワーク９００を介して、データセンター７００に生体データを送信することができる。
【０２２７】
＜実施の形態２＞
図１０は、実施の形態２の歯科補綴装置２００を示す図である。図１０（Ａ）は、平面図であり、図１０（Ｂ）は、側面図である。図１０（Ａ）、（Ｂ）では、図示するように直交座標系であるＸＹＺ座標系を定義する。
【０２２８】
図１０（Ａ）の平面図は、歯科補綴用の構造体１６０の歯部１６０Ａの噛み合わせ面を示しており、図１０（Ｂ）に断面を示す歯科補綴装置１００を上側から見た（Ｚ軸正方向側からＺ軸負方向側に向かって見た）図である。また、図１０（Ｂ）の側面図は、図１０（Ａ）に示す歯科補綴装置１００をＹ軸負方向側からＹ軸正方向側に向かって見て得られる側面を示す。
【０２２９】
実施の形態２の歯科補綴装置２００は、洗浄機で超音波洗浄される際の振動を利用して発電して充電を行う点が、磁界共鳴を利用して発電を行う実施の形態１の歯科補綴装置１００と異なる。
【０２３０】
以下、実施の形態１の歯科補綴装置１００等と同様の構成要素には同一符号を付し、その説明を省略する。
【０２３１】
歯科補綴装置２００は、所謂入れ歯型の生体情報検出器である。歯科補綴装置２００は、バッテリ９、圧電発電素子２１０、整流ダウンコンバータ２２０、ＩＣ（Integrated Circuit：集積回路）チップ２３０、センサ２４０、通信部２５０、及び歯科補綴用の構造体１６０を含む。バッテリ９及び構造体１６０は、実施の形態１の歯科補綴装置１００のバッテリ９及び構造体１６０と同様である。
【０２３２】
バッテリ９、圧電発電素子２１０、整流ダウンコンバータ２２０、ＩＣチップ２３０、センサ２４０、及び通信部２５０は、ベース部１６０Ｂの内部に設けられている。
【０２３３】
ここで、圧電発電素子２１０、整流ダウンコンバータ２２０、ＩＣチップ２３０、センサ２４０、及び通信部２５０は、ベース部１６０Ｂの内部に設けられているが、図１０では、理解しやすくするために実線で示す。また、圧電発電素子２１０、整流ダウンコンバータ２２０、ＩＣチップ２３０、センサ２４０、及び通信部２５０を接続する配線についても同様に、実線で示す。
【０２３４】
圧電発電素子２１０は、振動エネルギを電気エネルギに変換する発電素子であればよく、歯科補綴装置１００が洗浄中に受ける振動を電力に変換する。圧電発電素子２１０は、発電素子の一例である。
【０２３５】
実施の形態２では、圧電発電素子２１０は、一例として、ＰＺＴ（チタン酸ジルコン酸鉛 [Pb(Zr,Ti)]: Lead Titanate Zirconate）圧電発電素子２１１、２１２、２１３、２１４を有する。
【０２３６】
ＰＺＴ圧電発電素子２１１、２１２、２１３、２１４は、例えば、平面視で一辺が５ｍｍの正方形で、厚さが０．３ｍｍ又は０．５ｍｍの薄板状の発電素子である。
【０２３７】
４つのＰＺＴ圧電発電素子２１１、２１２、２１３、２１４は、ベース部１６０の内部において、それぞれ、正方形の頂点に位置するように配設されており、Ｚ軸正方向側の面とＺ軸負方向側の面とに、それぞれ端子を有する。
【０２３８】
４つのＰＺＴ圧電発電素子２１１、２１２、２１３、２１４は、整流ダウンコンバータ２２０に対して、互いに並列に接続されている。
【０２３９】
ＰＺＴ圧電発電素子２１１、２１２、２１３、２１４のＺ軸正方向側の面に配設される端子は、４つのＰＺＴ圧電発電素子２１１、２１２、２１３、２１４のそれぞれが頂点に配設される正方形の対角線方向に実線で示す配線２１６に接続されている。配線２１６の中点２１６Ａは、整流ダウンコンバータ２２０の一方の端子に接続されている。
【０２４０】
また、４つのＰＺＴ圧電発電素子２１１、２１２、２１３、２１４のＺ軸負方向側の面に配設される端子は、配線２１５によって整流ダウンコンバータ２２０の他方の端子に接続されている。ＰＺＴ圧電発電素子２１１、２１２、２１３、２１４のＺ軸負方向側の面に配設される端子が配線２１５を介して接続される整流ダウンコンバータ２２０の他方の端子は、整流ダウンコンバータ２２０の基準電位側の端子である。
【０２４１】
ここで、配線２１５、２１６は、ベース部１６０Ｂの内部に設けられるが、図１０では、理解しやすくするために実線で示す。
【０２４２】
また、４つの薄板状のＰＺＴ圧電発電素子２１１、２１２、２１３、２１４のＺ軸正方向側の面と、Ｚ軸負方向側の面とを覆うベース部１６０Ｂの厚さは、ベース部１６０Ｂの内部における超音波の波長をλとすると、λ／４に設定されることが望ましい。
【０２４３】
これは、ＰＺＴ圧電発電素子２１１、２１２、２１３、２１４における超音波の反射を低減し、ＰＺＴ圧電発電素子２１１、２１２、２１３、２１４に入力される超音波エネルギを最大にするために、音響インピーダンスを調整するためである。
【０２４４】
ここで、ＰＺＴ圧電発電素子２１１、２１２、２１３、２１４による振動発電の場合、超音波の周波数に基づく規則正しい振動から発生する電力よりも、洗浄機の洗浄液のキャビテーション（泡）等によって瞬間的に生じる大きな力によって発生する電力の方が大きい場合がある。
【０２４５】
このため、４つの薄板状のＰＺＴ圧電発電素子２１１、２１２、２１３、２１４のＺ軸正方向側の面と、Ｚ軸負方向側の面とを覆うベース部１６０Ｂの厚さは、洗浄機の洗浄液のキャビテーション等の影響を考慮して、設定すればよい。
【０２４６】
なお、超音波の周波数が１００ＫＨｚの場合、洗浄液（水）の中での音速を１５００ｍ／秒とすると、λ／４は約３．７５ｍｍとなる。従って、４つの薄板状のＰＺＴ圧電発電素子２１１、２１２、２１３、２１４のＺ軸正方向側の面を覆うベース部１６０Ｂの厚さと、Ｚ軸負方向側の面とを覆うベース部１６０Ｂの厚さとは、それぞれ、例えば、３〜４ｍｍ程度にすればよい。
【０２４７】
圧電発電素子２１０は、一対の出力端子を有し、一方の出力端子は中点２１６Ａに接続されている。また、他方の出力端子は、ＰＺＴ圧電発電素子２１３と２１４との間の配線２１５に接続されている。圧電発電素子２１０の一対の出力端子は、整流ダウンコンバータ２２０の入力端子に接続されている。
【０２４８】
圧電発電素子２１０は、歯科補綴装置２００が洗浄機によって超音波洗浄される際に、歯科補綴装置２００が受ける振動によって発電する。圧電発電素子２１０の出力は交流電力である。
【０２４９】
整流ダウンコンバータ２２０は、圧電発電素子２１０の一対の出力端子に接続されており、圧電発電素子２１０から入力される交流電力を直流電力に変換するとともに、電圧値を所定の電圧に降圧して出力する。整流ダウンコンバータ２２０の出力端子は、バッテリ９に接続されている。
【０２５０】
このため、歯科補綴装置２００が洗浄機の超音波洗浄にかけられると、圧電発電素子２１０が交流電力を発電し、整流ダウンコンバータ２２０が所定の出力電圧の直流電力に変換し、バッテリ９が充電される。圧電発電素子２１０及び整流ダウンコンバータ２２０は、充電部の一例である。
【０２５１】
ＩＣチップ２３０は、実施の形態１の歯科補綴装置１００の制御部１２０及びメモリ１４０に対応する。ＩＣチップ２３０は、制御部とメモリを内蔵したチップである。ＩＣチップ２３０は、実施の形態１の制御部１２０と同様の制御を行い、センサ２４０で検出される生体情報を表す生体データを内部のメモリに格納し、メモリに格納した生体データを通信部２５０から発信する。
【０２５２】
センサ２４０は、実施の形態１の歯科補綴装置１００のセンサ１３０と同様のセンサであり、例えば、体温、口腔内のｐＨ、電気伝導率、ナトリウムイオン量、又はカリウムイオン量等の生体情報を検出し、生体情報を表す生体データを出力する。
【０２５３】
実施の形態２の構造部１６０のベース部１６０Ｂには、センサ２４０用の孔部２４１Ａ、２４１Ｂ、２４１Ｃ、２４１Ｄ、２４１Ｅが形成されている。孔部２４１Ａ〜２４１Ｅは、破線で示す流路２４２によってベース部１６０Ｂの内部で互いに接続されるとともに、流路２４２を介してセンサ２４０の端子等に接続されている。
【０２５４】
センサ２４０は、孔部２４１Ａ〜２４１Ｅ及び流路２４２を介して流入する唾液に接触し、生体情報を検出する。
【０２５５】
通信部２５０は、実施の形態１の歯科補綴装置１００の通信部１５０と同様の通信部であり、近距離無線通信を行う。
【０２５６】
次に、図１１及び図１２を用いて、歯科補綴装置２００の充電方法について説明する。
【０２５７】
図１１は、歯科補綴装置２００を洗浄機４００で洗浄する状態を示す図である。
図１２は、歯科補綴装置２００の充電と、生体データを歯科補綴装置２００からデータセンターに送信する際のデータの流れを示す図である。図１２は、通常時における生体データの流れを示す。
【０２５８】
図１２には、実施の形態２の生体データ取得システム８２０を示す。生体データ取得システム８２０は、生体情報取得装置５２０、スマートフォン６００、及びデータセンター７００を含む。生体情報取得装置５２０は、歯科補綴装置２００と洗浄機４００とを含むため、生体データ取得システム８２０は、歯科補綴装置２００、洗浄機４００、スマートフォン６００、及びデータセンター７００を含むことになる。
【０２５９】
また、図１２には、歯科補綴装置２００のＩＣチップ２３０の制御部２３１とメモリ２３２を示す。制御部２３１は、実施の形態１の歯科補綴装置１００の制御部１２０と同様であり、メモリ２３２は、実施の形態１の歯科補綴装置１００のメモリ１４０と同様である。
【０２６０】
洗浄機４００は、収容部４０１（図１１参照）と、加振器４１０、制御部４２０、及び通信部４３０（図１２参照）とを含む。洗浄機４００は、図１１に示すように、歯科補綴装置２００を洗浄する装置であり、例えば、高速振動による洗浄又は超音波洗浄等によって歯科補綴装置２００を洗浄する。洗浄機４００は、超音波洗浄に用いる超音波の周波数が、一例として、１５ＫＨｚから４００ＫＨｚ程度であり、超音波の出力は、一例として、１００Ｗから３００Ｗ程度である。
【０２６１】
図１１には、洗浄機４００の収容部４０１に歯科補綴装置２００を収容し、容器４４０から洗浄液４４０Ａを収容部４０１内に注いでいる状態を示す。歯科補綴装置２００は、収容部４０１に収容された状態で、洗浄機４００が収容部４０１に超音波振動を与えることによって洗浄される。
【０２６２】
加振器４１０は、収容部４０１に超音波振動を与える駆動部である。加振器４１０は、例えば、家庭用の交流電源から供給される電力によって駆動され、例えば、１００ＫＨｚの超音波振動を発振することのできるモータ等を用いた駆動部であればよい。加振器４１０は、例えば、収容部４０１の下側に配設されており、収容部４０１を直接的に加振する。
【０２６３】
制御部４２０は、歯科補綴装置２００の洗浄時に、加振器４１０に超音波振動を発振させる処理を行う。また、制御部４２０は、歯科補綴装置２００の通信部２５０から近距離無線通信によって送信される生体データを通信部４３０で受信する処理と、通信部４３０で受信した生体データを、近距離無線通信により、スマートフォン６００に転送する処理とを行う。
【０２６４】
通信部４３０は、歯科補綴装置２００の通信部２５０から送信される生体データを受信する。通信部４３０は、例えば、数十センチから数メートル程度の近距離通信が行える通信機であればよい。
【０２６５】
通信部４３０は、歯科補綴装置２００の通信部２５０と通信を行えるとともに、スマートフォン６００と通信を行える装置であればよく、例えば、歯科補綴装置２００の通信部２５０と同様に、Bluetooth（登録商標）規格の無線通信が行える通信機であればよい。
【０２６６】
通信部４３０は、図１１に示す収容部４０１の近傍に配設されており、収容部４０１に歯科補綴装置２００が収容された状態で、歯科補綴装置２００の通信部２５０から送信される生体情報を受信可能な位置に配設されている。
【０２６７】
なお、通信部４３０は、歯科補綴装置２００の通信部２５０と近距離無線通信を行うとともに、スマートフォン６００と近距離無線通信を行うために、メモリを内蔵してもよい。
【０２６８】
生体データに異常があるか否かは、歯科補綴装置２００の制御部２３１が判定する。
【０２６９】
歯科補綴装置２００は、洗浄機４００の収容部４０１に収容されて超音波洗浄されているときに、圧電発電素子２１０が発電し、バッテリ９を充電する。
【０２７０】
歯科補綴装置２００が利用者の口腔内に装着された状態で、制御部２３１、センサ２４０、メモリ２３２、及び通信部２５０は、バッテリ９から供給される電力によって動作し、センサ２４０によって検出される生体データは、メモリ２３２に格納される。
【０２７１】
生体データに異常がない通常時は、図１２に示すように、歯科補綴装置２００が再度洗浄機４００によって洗浄される際に、メモリ２３２に格納された生体データは、制御部２３１によって読み出され、通信部２５０から送信され、洗浄機４００の通信部４３０によって受信される。
【０２７２】
また、洗浄機４００の通信部４３０は、通信部２５０から受信した生体データをスマートフォン６００に転送する。
【０２７３】
図１２に示すように、スマートフォン６００を洗浄機４００の近くに配設する。スマートフォン６００の通信部６１０は、洗浄機４００の通信部４３０と近距離通信を行う。これにより、洗浄機４００の通信部４３０が歯科補綴装置２００の通信部２５０から受信した生体データをスマートフォン６００に転送することができる。
【０２７４】
また、スマートフォン６００の通信部６２０が、ネットワーク９００を介してデータセンター７００の通信部７１０と通信を行うことにより、歯科補綴装置２００で取得された生体データをデータセンター７００に転送することができる。
【０２７５】
以上のように、実施の形態２の歯科補綴装置２００は、洗浄機４００の超音波振動を利用した圧電発電素子２１０による充電方式を採用しているため、洗浄機４００で構造体１６０（図３参照）を洗浄している間に、効率的かつ確実に充電することができる。
【０２７６】
従って、実施の形態２によれば、効率的に充電できる歯科補綴装置２００を提供することができる。
【０２７７】
また、歯科補綴装置２００は、洗浄機４００で洗浄されている間に充電された後は、利用者の口腔内に装着されることにより、体温等の生体情報を検出し、生体情報を表す生体データをメモリ２３２に格納することができる。
【０２７８】
そして歯科補綴装置２００は、次回の洗浄時に、メモリ２３２に格納された生体データを近距離無線通信によって洗浄機４００に送信する。洗浄機４００に送信された生体データは、スマートフォン６００を経てデータセンター７００に送信され、集中管理される。
【０２７９】
すなわち、歯科補綴装置２００と洗浄機４００とを含む実施の形態２の生体情報取得装置５２０によって取得された生体データは、スマートフォン６００によってデータセンター７００に送信され、集中管理される。
【０２８０】
従って、実施の形態２によれば、容易に生体データを取得できる歯科補綴装置２００、生体情報取得装置５２０、及び生体情報取得システム８２０を提供することができる。
【０２８１】
ここで、洗浄機４００の収容部４０１の内部空間は、歯科補綴装置２００の外寸（縦、横、高さの寸法）よりも大きな内寸（縦、横、高さの寸法）を有するため、収容部４０１に収容した状態において、歯科補綴装置２００は、縦、横、及び高さの方向に位置がずれる場合がある。
【０２８２】
しかしながら、実施の形態２の歯科補綴装置２００は、洗浄機４００の超音波振動を利用した圧電発電素子２１０による充電方式を採用している。
【０２８３】
このため、洗浄機４００の収容部４０１の内部で歯科補綴装置２００の位置ずれは問題にならず、従来の電磁誘導による充電方式に比べて、歯科補綴装置２００を効率的かつ確実に充電することができる。
【０２８４】
また、電磁誘導による電力の伝送では、１次側コイルと２次側コイルとの間又は周辺にある金属物が加熱されるおそれがあるが、超音波振動を利用した圧電発電素子２１０による充電方式では、１次側共振コイル２と２次側共振コイル３との間又は周辺にある金属物が加熱されることはない。このため、故障等が生じにくく、信頼性の高い充電方式を提供することができる。
【０２８５】
なお、生体データの内容が異常を示す場合は、実施の形態１の生体情報取得装置５００について図５（Ｂ）を用いて説明した場合と同様に、歯科補綴装置２００の通信部２５０がスマートフォン６００の通信部６１０と直接的に通信を行うことにより、洗浄機４００を介さずに生体データをデータセンター７００に送信すればよい。
【０２８６】
また、以上で説明した実施の形態２の歯科補綴装置２００では、圧電発電素子２１０、整流ダウンコンバータ２２０、ＩＣチップ２３０、センサ２４０、及び通信部２５０が構造体１６０（入れ歯）のベース部１６０Ｂに内蔵される形態について説明した。
【０２８７】
しかしながら、圧電発電素子２１０、整流ダウンコンバータ２２０、ＩＣチップ２３０、センサ２４０、及び通信部２５０のうちの一部、あるいは、すべては、歯部１６０Ａに内蔵されてもよい。
【０２８８】
また、以上では、圧電発電素子２１０が４つのＰＺＴ圧電発電素子２１１、２１２、２１３、２１４を含む形態について説明したが、圧電発電素子２１０は、少なくとも１つのＰＺＴ圧電発電素子を含めばよい。
【０２８９】
また、以上では、圧電発電素子２１０がＰＺＴ圧電発電素子２１１〜２１４を含む形態について説明したが、圧電発電素子２１０は、ＰＺＴ圧電発電素子に限られず、例えば、ＺｎＯ（酸化亜鉛）又はＰＶＤＦ（poly-vinylidene fluoride ポリフッ化ビニリデン）を用いた圧電発電素子であってもよい。
【０２９０】
なお、実施の形態２で用いる洗浄機４００は、実施の形態１で用いる洗浄機３００に比べて、送電器１０が必要ない点において構造が簡略化されている。このため、実施の形態１で用いる洗浄機３００よりも、低コストで洗浄機４００を製造することができる。
【０２９１】
ここで、図１３を用いて、実施の形態２の変形例について説明する。
【０２９２】
図１３は、実施の形態２の変形例による生体情報取得装置５２０Ａ及び生体情報取得システム８２０Ａにおける生体データの流れを示す図である。
【０２９３】
図１３に示すように、実施の形態２の変形例による生体情報取得装置５２０Ａは、歯科補綴装置２００と洗浄機４００Ａを含む。また、実施の形態２の変形例の生体情報取得システム８２０Ａは、生体情報取得装置５２０Ａとデータセンター７００を含む。
【０２９４】
実施の形態２の変形例の洗浄機４００Ａは、加振器４１０、制御部４２０、通信部４３０、及び通信部４５０を含む。
【０２９５】
通信部４５０は、実施の形態１の変形例の通信部３５０（図９（Ａ）参照）と同様の通信機であり、ネットワーク９００に接続できる通信機であればよい。
【０２９６】
通信部４５０は、遠隔地にあるデータセンター７００の通信部７１０と、ネットワーク９００を介して通信を行う。
【０２９７】
このように、洗浄機４００Ａが、ネットワーク９００を介してデータセンター７００と通信を行う通信部４５０を含む場合は、スマートフォン６００を用いなくても、通信部４３０が歯科補綴装置２００の通信部２５０から受信した生体データを、通信部４５０を介してデータセンター７００に送信することができる。
【０２９８】
このような場合には、スマートフォン６００を洗浄機４００Ａの近くに置いておかなくても、歯科補綴装置２００で取得した生体データをデータセンター７００に送信することができる。
【０２９９】
＜実施の形態３＞
図１４は、実施の形態３の歯科補綴装置２００Ｃを示す図である。
【０３００】
図１４は、実施の形態３の歯科補綴装置２００Ｃを示す図である。図１４（Ａ）は、平面図であり、図１４（Ｂ）は、側面図である。図１４（Ａ）、（Ｂ）では、図示するように直交座標系であるＸＹＺ座標系を定義する。また、図１４（Ｃ）は、磁歪素子２１０Ｃを示す図である。
【０３０１】
図１４（Ａ）の平面図は、歯科補綴用の構造体１６０の歯部１６０Ａの噛み合わせ面を示しており、図１４（Ｂ）に断面を示す歯科補綴装置１００を上側から見た（Ｚ軸正方向側からＺ軸負方向側に向かって見た）図である。また、図１４（Ｂ）の側面図は、図１４（Ａ）に示す歯科補綴装置１００をＹ軸負方向側からＹ軸正方向側に向かって見て得られる側面を示す。
【０３０２】
歯科補綴装置２００Ｃは、所謂入れ歯型の生体情報検出器である。実施の形態３の歯科補綴装置２００Ｃは、実施の形態２の歯科補綴装置２００の圧電発電素子２１０（図１０（Ａ）参照）を磁歪素子２１０Ｃに置き換えたものである。
【０３０３】
その他の構成は、実施の形態２の歯科補綴装置２００と同様であるため、同様の構成要素には同一符号を付し、その説明を省略する。
【０３０４】
歯科補綴装置２００Ｃは、バッテリ９、磁歪素子２１０Ｃ、整流ダウンコンバータ２２０Ｃ、ＩＣ（Integrated Circuit：集積回路）チップ２３０Ｃ、センサ２４０、通信部２５０、及び歯科補綴用の構造体１６０を含む。
【０３０５】
実施の形態３の歯科補綴装置２００Ｃの歯科補綴用の構造体１６０は、歯部１６０Ａとベース部１６０Ｂに加えて、歯部１６０Ｃを含む。歯部１６０Ｃは、第三大臼歯の位置に設けられている。これは、所謂親知らずの生える位置である。
【０３０６】
バッテリ９、整流ダウンコンバータ２２０Ｃ、ＩＣチップ２３０Ｃ、センサ２４０、及び通信部２５０は、ベース部１６０Ｂの内部に設けられている。また、磁歪素子２１０Ｃは、歯部１６０Ｃの内部に設けられている。磁歪素子２１０Ｃを歯部１６０Ｃの内部に設けるのは、親知らずの位置であれば、噛み合わせ相手となる歯部が存在しないため、噛み合わせの調整、又は、位置合わせ等が容易になるからである。
【０３０７】
ここで、磁歪素子２１０Ｃ、整流ダウンコンバータ２２０Ｃ、ＩＣチップ２３０Ｃ、センサ２４０、及び通信部２５０は、ベース部１６０Ｂの内部に設けられているが、図１４では、理解しやすくするために実線で示す。また、磁歪素子２１０Ｃ、整流ダウンコンバータ２２０Ｃ、ＩＣチップ２３０Ｃ、センサ２４０、及び通信部２５０を接続する配線についても同様に、実線で示す。
【０３０８】
磁歪素子２１０Ｃは、振動エネルギを電気エネルギに変換する発電素子であり、歯科補綴装置１００が洗浄中に受ける振動を電力に変換する。より具体的には、磁歪素子２１０Ｃは、振動エネルギを受けて歪むことにより、電気エネルギを発生する発電素子である。
【０３０９】
実施の形態３では、磁歪素子２１０Ｃは、図６（Ｃ）に示すように、磁歪部材２１１Ｃ、永久磁石２１２Ｃ、及びコイル２１３Ｃを有する。
【０３１０】
磁歪部材２１１Ｃは、例えば、鉄ガリウム合金製の磁歪材料を、直径２ｍｍで長さ７ｍｍの柱状に加工した部材である。
【０３１１】
永久磁石２１２Ｃは、例えば、磁歪部材２１１Ｃの一方の端部に設けられており、コイル２１３Ｃに直流（ＤＣ(Direct Current)）的な磁界のバイアスを印加するために設けられている。
【０３１２】
コイル２１３Ｃは、磁歪部材２１１Ｃに巻回される巻線状のコイルであり、例えば、ウレタン樹脂で被覆された直径０．００２ｍｍの導線を３００巻程度巻回したものである。
【０３１３】
なお、磁歪部材２１１Ｃの長さ（７ｍｍ）は、洗浄用の超音波の周波数が１００ＫＨｚである場合に、波長λの半分（λ／２）になるように長さを設定したものである。磁歪部材２１１Ｃの長さを波長λの半分（λ／２）に設定するのは、共振条件を考慮したものである。
【０３１４】
磁歪素子２１０Ｃは、振動エネルギを受けると磁歪部材２１１Ｃが歪み、磁歪部材２１１Ｃに巻回されるコイル２１３Ｃを横切る磁束密度が変化する。この磁束密度は、永久磁石２１２Ｃから供給される磁束の密度であり、ＤＣ的な一定の磁界によるものである。
【０３１５】
従って、磁歪素子２１０Ｃは、振動エネルギを受けてコイル２１３Ｃを横切る磁束密度が変化することにより、電気エネルギを発生する。
【０３１６】
また、ここでは、磁歪部材２１１Ｃが磁歪材料の一例である鉄ガリウム合金製である形態について説明するが、磁歪材料は、他の鉄系材料又は強磁性形状記憶合金等であってもよい。
【０３１７】
磁歪素子２１０Ｃは、歯科補綴装置２００Ｃが洗浄機４００によって超音波洗浄される際に、振動を受けることにより、発電する。
【０３１８】
磁歪素子２１０Ｃの一対の出力端子は、整流ダウンコンバータ２２０Ｃの入力端子に接続されている。
【０３１９】
磁歪素子２１０Ｃは、歯科補綴装置２００Ｃが洗浄機によって超音波洗浄される際に、歯科補綴装置２００Ｃが受ける振動によって発電する。磁歪素子２１０Ｃの出力は交流電力である。
【０３２０】
整流ダウンコンバータ２２０Ｃは、磁歪素子２１０Ｃの一対の出力端子に接続されており、磁歪素子２１０Ｃから入力される交流電力を直流電力に変換するとともに、電圧値を所定の電圧に降圧して出力する。整流ダウンコンバータ２２０Ｃの出力端子は、バッテリ９に接続されている。
【０３２１】
このため、歯科補綴装置２００Ｃが洗浄機の超音波洗浄にかけられると、磁歪素子２１０Ｃが交流電力を発電し、整流ダウンコンバータ２２０Ｃが所定の出力電圧の直流電力に変換し、バッテリ９が充電される。
【０３２２】
ＩＣチップ２３０Ｃは、実施の形態１の歯科補綴装置１００の制御部１２０及びメモリ１４０に対応する。ＩＣチップ２３０Ｃは、制御部とメモリを内蔵したチップである。ＩＣチップ２３０Ｃは、実施の形態１の制御部１２０と同様の制御を行い、センサ２４０で検出される生体情報を表す生体データを内部のメモリに格納し、メモリに格納した生体データを通信部２５０から発信する。
【０３２３】
実施の形態３の歯科補綴装置２００Ｃのその他の構成及び生体データの送信処理等は、実施の形態２の歯科補綴装置２００と同様である。
【０３２４】
以上のように、実施の形態３の歯科補綴装置２００Ｃは、洗浄機４００の超音波振動を利用した圧電発電素子２１０Ｃによる充電方式を採用しているため、洗浄機４００で構造体１６０（図３参照）を洗浄している間に、効率的かつ確実に充電することができる。
【０３２５】
従って、実施の形態３によれば、効率的に充電できる歯科補綴装置２００Ｃを提供することができる。また、実施の形態３の歯科補綴装置２００Ｃは、実施の形態２の歯科補綴装置２００と同様に、容易に生体データを取得することができる。
【０３２６】
また、実施の形態３の歯科補綴装置２００Ｃを実施の形態２の歯科補綴装置２００の代わりに用いれば、容易に生体データを取得できる生体情報取得装置５２０及び生体情報取得システム８２０（図１２参照）を提供することができる。
【０３２７】
以上、本発明の例示的な実施の形態の歯科補綴装置について説明したが、本発明は、具体的に開示された実施の形態に限定されるものではなく、特許請求の範囲から逸脱することなく、種々の変形や変更が可能である。
以上の実施の形態に関し、さらに以下の付記を開示する。
（付記１）
歯科補綴用の構造体と、
前記構造体に内蔵され、前記構造体の装着者の生体情報を取得する生体センサと、
前記構造体に内蔵され、前記生体センサで検出される生体情報を格納するメモリと、
前記メモリに格納される生体情報を前記構造体の外部に送信する通信部と、
前記生体センサ、前記メモリ、及び前記通信部に電力を供給する電源と、
磁界共鳴によって受電する電力、又は、前記構造体が振動されることにより発電する電力で前記電源を充電する、充電部と
を含む、歯科補綴装置。
（付記２）
前記充電部は、磁界共鳴によって受電する電力で前記電源を充電する充電部であり、前記構造体の外部に配設される１次側共振コイルから磁界共鳴によって受電する２次側共振コイルを有する、付記１記載の歯科補綴装置。
（付記３）
前記充電部は、前記構造体が振動されることにより発電する電力で前記電源を充電する充電部であり、前記構造体が振動されることにより発電する発電素子を有する、付記１記載の歯科補綴装置。
（付記４）
前記発電素子は、前記歯科補綴装置が超音波洗浄されることによって発電する、付記３記載の歯科補綴装置。
（付記５）
前記発電素子は、ＰＺＴ圧電発電素子、又は、磁歪素子である、付記４記載の歯科補綴装置。
（付記６）
付記２記載の歯科補綴装置と、
付記２記載の１次側共振コイルを有し、付記２記載の歯科補綴装置の２次側共振コイルに磁界共鳴によって電力を送電する送電器と
を含む、生体情報取得装置。
（付記７）
前記歯科補綴装置を洗浄する洗浄機と、
前記洗浄機に配設され、前記通信部から送信される生体情報を受信する受信部と
をさらに含み、
前記送電器は前記洗浄機に配設される、付記６記載の生体情報取得装置。
（付記８）
付記３記載の歯科補綴装置と、
付記３記載の歯科補綴装置を振動によって洗浄する洗浄機と、
前記洗浄機に配設され、前記通信部から送信される生体情報を受信する受信部と
含む、生体情報取得装置。
（付記９）
付記６乃至８のいずれか一項記載の生体情報取得装置と、
付記６乃至８のいずれか一項記載の生体情報取得装置から転送される生体情報を集約する集約センターに配設され、集約した生体情報を保管するデータセンターと
を含む、生体情報取得システム。
（付記１０）
前記集約センターで集約された生体情報を医療機関に送信する送信部をさらに含む、付記８記載の生体情報取得システム。
【符号の説明】
【０３２８】
１  １次側コイル
２  １次側共振コイル
３  ２次側共振コイル
４  ２次側コイル
５  整合回路
６  交流電源
７  整流回路
８  ＤＣ−ＤＣコンバータ
９  バッテリ
１０  送電器
２０  受電器
１００、２００、２００Ｃ  歯科補綴装置
１２０  制御部
１３０  センサ
１４０  メモリ
１５０  通信部
１６０  構造体
２１０、２１０Ｃ  圧電発電素子
２２０、２２０Ｃ  整流ダウンコンバータ
２３０、２３０Ｃ  ＩＣチップ
２３１  制御部
２３２  メモリ
２４０  センサ
２５０  通信部
３００、４００  洗浄機
３１０  送電コイル
３２０  制御部
３３０  通信部
４０１  収容部
４１０  加振器
４２０  制御部
４３０  通信部
５００、５２０  生体情報取得装置
６００  スマートフォン
７００  データセンター
７０１  制御部
７１０  通信部
７２０  メモリ
８００、８００Ａ、８２０  生体情報取得システム
【図１】
2014131426.tif 000003
【図２】
2014131426.tif 000004
【図３】
2014131426.tif 000005
【図４】
2014131426.tif 000006
【図５】
2014131426.tif 000007
【図６】
2014131426.tif 000008
【図７】
2014131426.tif 000009
【図８】
2014131426.tif 000010
【図９】
2014131426.tif 000011
【図１０】
2014131426.tif 000012
【図１１】
2014131426.tif 000013
【図１２】
2014131426.tif 000014
【図１３】
2014131426.tif 000015
【図１４】
2014131426.tif 000016